(57)【要約】【課題】一度に多くの画像情報を提示でき、且つ視認し易いようにしたファクシミリ装置を提供する。【解決手段】ハウジング２の上面に配置された原稿載置ガラス３３を覆う原稿押え板３５付きの原稿押えカバー体１３がハウジング体の上面一側部にヒンジ部を介して起伏回動可能に装着され、原稿押えカバー体１３のヒンジ部と反対側のハウジング２の上面に画像データを基に画像を投影するプロジェクタ３８は上下方向に回動可能若しくは上下方向に移動可能となる機構を有して装着され、プロジェクタ３８により、原稿押え板３５に画像データまたはファクシミリ受信データを投影させるように構成する。原稿押え板３５は原稿押えカバー体１３の裏面と平行な面で回動可能に構成されている。【選択図】図７
2010219657.tif 000002
【特許請求の範囲】
【請求項１】
通信データを受信する受信手段と、前記受信手段で受信した受信データから画像データを生成する画像データ生成手段と、前記画像データ生成手段で生成した画像データに基づいて画像を投影する投影手段と、スキャナ部とを装置本体に備え、前記装置本体の上面に原稿載置ガラスが配置され、前記原稿載置ガラスを覆う原稿押えカバー体が前記装置本体の上面一側部にヒンジ部を介して起伏回動可能に装着されてなるファクシミリ装置であって、
前記原稿押えカバー体のヒンジ部と反対側の前記装置本体の上面には、前記投影手段が上下方向に回動可能若しくは上下方向に移動可能のいずれか一方又は双方の機構を有して装着され、
前記投影手段により、前記原稿押えカバー体の裏面に設けられた原稿押え板に、画像データまたはファクシミリ受信データを投影させるように構成したことを特徴とするファクシミリ装置。
【請求項２】
前記原稿押え板は、前記原稿押えカバー体に対してその裏面と平行な面に沿って回動可能に装着されていることを特徴とする請求項１に記載のファクシミリ装置。
【請求項３】
前記原稿押えカバー体は前記装置本体の上面に対して回動角度の調整が可能となるように構成され、前記投影手段は、それによる投影画像を前記原稿押えカバー体の回動角度並びに前記投影手段の高さ位置及び回動角度に連動して補正可能に構成されていることを特徴とする請求項１または２に記載のファクシミリ装置。
【請求項４】
前記原稿押えカバー体を実質的に垂直状に開いたとき、前記装置本体の一側縁と前記原稿押えカバー体の裏面との間に、前記原稿押え板がその平面の周りで回動可能な隙間が形成されるように、前記ヒンジ部を構成したことを特徴とする請求項１乃至３のいずれかに記載のファクシミリ装置。
【請求項５】
前記原稿押えカバー体には、前記原稿押え板の回動方向及び回動角度を検出するための押え板回動センサが設けられ、
前記押え板回動センサの回動姿勢に応じて投影される画像の表示の向きを変換する画像表示変換手段を備えたことを特徴とする請求項１乃至４のいずれかに記載のファクシミリ装置。
【請求項６】
前記請求項１乃至５のいずれかに記載のファクシミリ装置に加えて、前記スキャナ部で読み込まれた原稿の画像を用紙に複写するコピー部と、各種記録媒体を装填可能なスロット部とのうち少なくとも１つの機能を備えた多機能装置。
【発明の詳細な説明】
【技術分野】
【０００１】
本発明は、印刷しなくても受信した画像データを視認可能なファクシミリ装置及びファクシミリ機能（装置）を備えた多機能装置に関するものである。
【背景技術】
【０００２】
従来の文字や図形などの画像データを送受信可能なファクシミリ装置では、受信した画像データを用紙に印刷することで、そのデータを視認できる他、ファクシミリ装置に備えられた液晶パネル表示部（表示モニタ部）に受信した画像データを表示するもの（特許文献１乃至３）があった。
【０００３】
他方、特許文献４に示すように、ファクシミリ装置本体の上部前側に投影手段を備え、装置本体の後端には、前下り傾斜して用紙を給紙するための給紙トレイを備え、この給紙トレイの表面または給紙トレイに載置された白色等の用紙に投影手段から画像を投影する構成が提案されている。
【先行技術文献】
【特許文献】
【０００４】
【特許文献１】特開２００６−２１１５２１号公報（図１〜５参照）
【特許文献２】特開２００６−２１８６５０号公報（図１〜５参照）
【特許文献３】特開２００８−６６９８号公報（図１〜５参照）
【特許文献４】特開２００７−２６７０１３号公報（図２参照）
【発明の概要】
【発明が解決しようとする課題】
【０００５】
しかしながら、特許文献１乃至３のような液晶パネル表示部（表示モニタ部）が備えられていても、それらの表示部分の面積は通常印刷される用紙の面積に比べて遥かに小さいため、印刷された用紙の画像に比べて視認しずらいという問題を有していた。
【０００６】
この不具合を解消するため、受信した画像データの一部を大きく液晶パネル表示部（表示モニタ部）に表示すると共に、受信した画像データをスクロールして順次画像を表示させることも考えられるが、それでも印刷された１枚の用紙の画像の全体をスクロールするのに手間が掛かるという問題があった。
【０００７】
他方、特許文献４の構成では、給紙トレイの機能上の制約のため、投影角度が固定されて調整できないので、ユーザの目視方向が制限されて見づらい。また、用紙に投影する場合、当該用紙の曲がり癖、撓みにより、投影された画像に歪みが発生して見づらい。
【０００８】
さらに、給紙トレイに載置された白色等の用紙の全体に縦長の画像の全体を表示するためには、ファクシミリ装置の本体ケースの上端からの給紙トレイの上端位置までの高さ寸法を大きくしなければならないから、装置全体が嵩高くなるという問題があった。
【０００９】
本発明は、これらの従来技術の問題点を解決するためになされたものであり、一度に多くの画像情報を提示でき、且つ視認し易いようにしたファクシミリ装置及びこのファクシミリ装置を備えた多機能装置を提供することを目的とするものである。
【課題を解決するための手段】
【００１０】
請求項１に記載の発明は、通信データを受信する受信手段と、前記受信手段で受信した受信データから画像データを生成する画像データ生成手段と、前記画像データ生成手段で生成した画像データに基づいて画像を投影する投影手段と、スキャナ部とを装置本体に備え、前記装置本体の上面に原稿載置ガラスが配置され、前記原稿載置ガラスを覆う原稿押えカバー体が前記装置本体の上面一側部にヒンジ部を介して起伏回動可能に装着されてなるファクシミリ装置であって、前記原稿押えカバー体のヒンジ部と反対側の前記装置本体の上面には、前記投影手段が上下方向に回動可能若しくは上下方向に移動可能のいずれか一方又は双方の機構を有して装着され、前記投影手段により、前記原稿押えカバー体の裏面に設けられた原稿押え板に、画像データまたはファクシミリ受信データを投影させるように構成したものである。
【００１１】
請求項２に記載の発明は、請求項１に記載のファクシミリ装置において、前記原稿押え板は、前記原稿押えカバー体に対してその裏面と平行な面に沿って回動可能に装着されているものである。
【００１２】
請求項３に記載の発明は、請求項１または２に記載のファクシミリ装置において、前記原稿押えカバー体は前記装置本体の上面に対して回動角度の調整が可能となるように構成され、前記投影手段は、それによる投影画像を前記原稿押えカバー体の回動角度並びに前記投影手段の高さ位置及び回動角度に連動して補正可能に構成されているものである。
【００１３】
請求項４に記載の発明は、請求項１乃至３のいずれかに記載のファクシミリ装置において、前記原稿押えカバー体を実質的に垂直状に開いたとき、前記装置本体の一側縁と前記原稿押えカバー体の裏面との間に、前記原稿押え板がその平面の周りで回動可能な隙間が形成されるように、前記ヒンジ部を構成したものである。
【００１４】
請求項５に記載の発明は、請求項１乃至４のいずれかに記載のファクシミリ装置において、前記原稿押えカバー体には、前記原稿押え板の回動方向及び回動角度を検出するための押え板回動センサが設けられ、前記押え板回動センサの回動姿勢に応じて投影される画像の表示の向きを変換する画像表示変換手段を備えたものである。
【００１５】
請求項６に記載の発明は、前記請求項１乃至５のいずれかに記載のファクシミリ装置に加えて、前記スキャナ部で読み込まれた原稿の画像を用紙に複写するコピー部と、各種記録媒体を装填可能なスロット部のうち少なくとも１つの機能を備えた多機能装置である。
【発明の効果】
【００１６】
請求項１に記載の発明によれば、通信データを受信する受信手段と、前記受信手段で受信した受信データから画像データを生成する画像データ生成手段と、前記画像データ生成手段で生成した画像データに基づいて画像を投影する投影手段と、スキャナ部とを装置本体に備え、前記装置本体の上面に原稿載置ガラスが配置され、前記原稿載置ガラスを覆う原稿押えカバー体が前記装置本体の上面一側部にヒンジ部を介して起伏回動可能に装着されてなるファクシミリ装置であって、前記原稿押えカバー体のヒンジ部と反対側の前記装置本体の上面には、前記投影手段が上下方向に回動可能若しくは上下方向に移動可能のいずれか一方又は双方の機構を有して装着され、前記投影手段により、前記原稿押えカバー体の裏面に設けられた原稿押え板に、画像データまたはファクシミリ受信データを投影させるように構成したものである。
【００１７】
従って、ファクシミリ装置で受信した受信データを用紙に印刷することなく、投影手段から受信データを画像として原稿押えカバー体の裏面に配置された原稿押え板に投影することができる。そして、本発明では、装置本体の上面には、前記投影手段が上下回動可能若しくは上下方向に移動可能のいずれか一方又は双方の機構を有して装着されているから、投影された画像が歪み無く視認することができる。また、原稿押え板に受信データの画像全体を一度に視認することができるという顕著な効果を奏するものである。
【００１８】
請求項２に記載の発明によれば、前記原稿押え板は、前記原稿押えカバー体に対してその裏面と平行な面に沿って回動可能に装着されているものであるから、受信データが縦長の画像であるときに、原稿押え板の長辺の方向を縦方向となるように、当該原稿押え板の姿勢を変更すれば良く、これによって、受信データの画像全体を一度に視認することができるという顕著な効果を奏するものである。
【００１９】
請求項３に記載の発明によれば、前記原稿押えカバー体は前記装置本体の上面に対して回動角度の調整が可能となるように構成され、前記投影手段は、それによる投影画像を前記原稿押えカバー体の回動角度並びに前記投影手段の高さ位置及び回動角度に連動して補正可能に構成されているものである。
【００２０】
従って、ユーザが原稿押えカバー体の回動角度を変更したり、前記投影手段の高さ位置及び回動角度を変更するだけで、原稿押え板に投影される画像の歪みが補正部にて自動的に補正され、見やすい画像を簡単に得ることができる。
【００２１】
請求項４に記載の発明によれば、前記原稿押えカバー体を実質的に垂直状に開いたとき、前記装置本体の一側縁と前記原稿押えカバー体の裏面との間に、前記原稿押え板がその平面の周りで回動可能な隙間が形成されるように、前記ヒンジ部を構成したものであるから、原稿押えカバー体を実質的に垂直状に開いた状態で、原稿押え板の長辺を縦方向となるように、原稿押え板を回動させるときに、その角部が装置本体と干渉しないようにすることができる。
【００２２】
請求項５に記載の発明によれば、前記原稿押えカバー体には、前記原稿押え板の回動方向及び回動角度を検出するための押え板回動センサが設けられ、前記押え板回動センサの回動姿勢に応じて投影される画像の表示の向きを変換する画像表示変換手段を備えたものである。
【００２３】
ファクシミリ装置で送られてくる画像データは、原稿用紙の縦長、横長の配置や天地方向などが統一されず、受信した画像データによる画像をそのまま原稿押え板の表面に投影すると、これを見る人にとっては、非常に見辛いことになる。本発明に従えば、例えば、ユーザが最初に横長の原稿押え板の表面に投影された画像を観察したとき、縦長の原稿用紙であると判断すると、原稿押え板の向きを左右いずれか一方に９０度回動させて、原稿押え板が縦長となるように設定する。これにより、押え板回動センサの検出値に応じて、縦長の原稿用紙の適正な画像を投影するように補正するのである。受信した原稿用紙の画像が天地逆姿勢の場合には、基準位置の横長の原稿押え板の状態から１８０度回転することで、押え板回動センサの検出値に応じた補正を実行して、適正な画像を投影することができる。従って、一層簡便に適正画像を視認することができるという顕著な効果を奏するものである。
【００２４】
請求項６に記載の発明は、前記請求項１乃至５のいずれかに記載のファクシミリ装置に加えて、前記スキャナ部で読み込まれた原稿の画像を用紙に複写するコピー部と、各種記録媒体を装填可能なスロット部とのうち少なくとも１つの機能を備えた多機能装置である。
【００２５】
従って、本発明によれば、外部装置や各種記録媒体から取り込まれた画像データを印刷する以前に、投影手段と原稿押え板とよって、印刷すべき画像か否かの判断を行なえる。しかして、印刷用の用紙の無駄な消費を無くすることができるという効果を奏するものである。
【図面の簡単な説明】
【００２６】
【図１】本発明の実施例に係る多機能装置１の外観構成を示す斜視図である。
【図２】記録部の主要構成を示す概略平面図である。
【図３】記録部及びキャリッジなどの概略側断面図である。
【図４】（Ａ）は原稿押えカバー体を開いた状態の側面図、（Ｂ）はその斜視図である。
【図５】原稿押えカバー体を開いた状態で示すヒンジ部を構成を示す斜視図である。
【図６】原稿押えカバー体を開いた状態で原稿押え板が縦長状態のときの斜視図である。
【図７】図６の状態の側面図である。
【図８】（Ａ）は原稿押えカバー体を省略した状態で原稿押え板の回動部材を示す斜視図、（Ｂ）は回動部材のみの拡大斜視図である。
【図９】押え板回動センサとしての姿勢センサを示す説明図である。
【図１０】（Ａ）は原稿押え板を原稿押えカバー体の裏面と平行な状態で回動するための他の実施例を示す正面図、（Ｂ）は拡大正面図である。
【図１１】投影手段の他の実施例を示す側面図である。
【図１２】投影手段のさらに他の実施例を示す側面図である。
【図１３】本発明の機能ブロック図である。
【発明を実施するための形態】
【００２７】
以下、適宜図面を参照して本発明の実施例について説明する。なお、本実施例は本発明の一例にすぎず、本発明の要旨を変更しない範囲で、実施例を適宜変更できることは言うまでもない。本発明において画像とは、文字、図形、写された像を含む。
【００２８】
図１は多機能装置１の斜視図、図２は概略平面図である。この多機能装置１（ＭＦＤ：Multi Function Device ）は、プリンタ機能、ファクシミリ機能、コピー機能、スキャナ機能等の複数の機能を備えているが、本発明は単独のファクシミリ装置に適用しても良い。
【００２９】
［基本形態］
本実施例の多機能装置１は、図１に示すように、合成樹脂製の射出成形品からなる装置本体としてのハウジング２の底部には、その前側の開口部２ａから挿抜可能な第１給紙カセット３が配置されている。この第１給紙カセット３の上面には、第２給紙カセット３０が進退動可能に連結または載置されている。
【００３０】
ハウジング２の上部には、コピー機能やファクシミリ機能における原稿読取などのための画像読取装置１２が配置されている。この画像読取装置１２は図示しない枢軸部を介してハウジング２の一側端に対して上下方向に開閉回動可能に構成されている。画像読取装置１２の上面には、原稿押えカバー体１３を上側に開けて原稿を載置することができる載置用のガラス板３３が設けられ、原稿押えカバー体１３の裏面には、その裏面と平行な面に沿って原稿押え板３５が回動可能に装着されている。原稿押え板３５が回動可能に連結する構成は後述する。
【００３１】
ガラス板３３の下側に原稿読取り用の密着型イメージセンサ（ＣＩＳ：Contact Image Sensor) 等からなるスキャナ部３１が主走査方向（図１におけるＹ軸方向であり、第２の方向）に延びるガイド部材３２に沿って往復移動可能に設けられている（図４（Ａ）参照）。原稿押えカバー体１３はその基端部を載置用ガラス板３３を挟んで操作パネル部１４と反対側のハウジング２における上面の一側部（後端部）にヒンジ部３４を介して起伏回動可能（上下方向に回動可能）に装着されている。その場合、図４（Ａ）、図４（Ｂ）及び図５等に示すように、側面視でＬ字状のヒンジ部３４を用い、ハウジング２の後面と上面との角部に形成された切欠き部４０にヒンジ部３４の一方の下向き片を固定するように構成する。これにより、原稿押えカバー体１３を実質的に垂直状に開いたとき（図４（Ｂ）及び図５参照）、装置本体としてのハウジング２の後側縁と原稿押えカバー体１３の裏面との間に、原稿押え板がその平面の周りで回動可能となるように寸法Ｈ１の隙間４１が形成され、且つ原稿押えカバー体１３を閉じたときには、原稿押えカバー体１３の後端縁とハウジング２の後端縁とが実質的に垂直線上に並ぶように、ヒンジ部３４を構成したものである。
【００３２】
また、ヒンジ部３４には、原稿押えカバー体１３の下面（原稿押え板３５）が載置用ガラス板３３に当接している伏せ姿勢から載置用ガラス板３３に対して９０度乃至鈍角まで起立する姿勢の原稿押えカバー体１３の回動角度を検知するための角度センサ３６が設けられている。
【００３３】
原稿押えカバー体１３の下面（裏面）に設けられる原稿押え板３５は表面（下面）が白色などの樹脂板若しくは白色などに塗装されたものである。実施例では、原稿押え板３５は、後述する回動部材３７を介して原稿押えカバー体１３の裏面と平行状にて９０度回動可能に取付けられている。これにより、載置用ガラス板３３上の原稿を押える通常時には、矩形状の原稿押え板３５はＹ軸方向に長辺で、Ｘ軸方向に短辺となるように配置されているが、上述の回動により、Ｙ軸方向に短辺で、Ｚ軸方向に長辺となるように姿勢を変更可能とする。
【００３４】
第１実施例の回動部材３７は、図４（Ａ）、図８（Ａ）及び図８（Ｂ）に示すように、円盤４２と、円盤４２の裏面中心部に取付けられた上下方向に回動可能なリンク部材４３とを有する。円盤４２には、リンク部材４３よりも外周側に一対の円弧状（中心角度２７０度程度）のガイド溝４４が、円盤４２の表裏を貫通するように形成されている。原稿押え板３５の裏面に固定された同じく円弧状（中心角度３０度程度）の一対のガイド片４５は上記ガイド溝４４に嵌まっている。なお、各ガイド片４５には、当該ガイド片４５がガイド溝４４から離脱しないようにする留めワッシャ（図示せず）が取付けられている。
【００３５】
リンク部材４３の基端部は原稿押えカバー体１３の裏面の中心部近傍にて水平方向のピン（図示せず）により回動可能に連結されている。この構成により、矩形状の原稿押え板３５は上述のように原稿押えカバー体１３の裏面（下面）と平行状にて９０度回動可能となる。その場合、リンク部材４３を、原稿押え板３５に取付けられた側（先端側）が下位置となる姿勢とすれば、図５、図７及び図８（Ａ）に示すように回動途中の原稿押え板３５の角部が原稿押えカバー体１３の下端を越えて下方まで延びるので、リンク部材４３が原稿押えカバー体１３の裏面と実質的に平行となるように折り畳んだ状態で原稿押え板３５を回動させると、上記の隙間４４内に原稿押え板３５の下角部が嵌まった状態で、当該原稿押え板３５が回動できる。なお、図４（Ａ）に示すように、リンク部材４３を、原稿押え板３５に取付けられた側（先端側）が上位置となるように回動させ、且つリンク部材４３が原稿押えカバー体１３の裏面と実質的に平行となるように折り畳んだ状態では、横長状に配置された原稿押え板３５の上辺が原稿押えカバー体１３の上辺より上方に配置することができるから、そのまま原稿押え板３５を回動させれば、上記隙間４４が無くても、その原稿押え板３５の下角部がハウジング２の上面と干渉しない。
【００３６】
ハウジング２の上側には、画像読取装置１２の前方に各種操作ボタンを有する操作部１４ａや液晶表示部１４ｂ等を備えた操作パネル部１４が設けられている。原稿押えカバー体１３のヒンジ部３４と反対側（操作パネル部１４側）の中央部ハウジング２の上面には、投影手段（映写手段ともいう）としてのプロジェクタ３８が上下回動可能若しくは上下方向に直線的に移動可能のいずれか一方又は双方の機構を有して装着されている。
【００３７】
図１、図４（Ａ）、図４（Ｂ）、図、図７及び図８（Ａ）に示すように、第１実施例のプロジェクタ３８は、屈曲可能なリンク手段４６を介してハウジング２の上側の切欠き凹所４７に設けられている。これにより、プロジェクタ３８は切欠き凹所４７内に沈み込んだ姿勢と、大きく上昇した姿勢とを採ることができる。
【００３８】
上記プロジェクタ３８により、原稿押えカバー体１３の裏面に設けられた原稿押え板３５に、メモリカード等の各種記録媒体の外部メモリから取り込まれた画像データまたはファクシミリ受信データから得られた画像を投影させるように構成する。また、プロジェクタ３８は、それによる投影画像を原稿押えカバー体１３の回動角度や原稿押え板３５の回動方向及び回動角度に連動して後述する補正部５５を介して補正可能に構成されている。
【００３９】
［多機能装置１の制御手段］
図１３は多機能装置１の制御手段を示す機能ブロック図である。制御手段における制御装置５０には、通信データを受信する送受信手段としてのＦＡＸ通信装置５１と、受信手段で受信した受信データから画像データを生成する画像データ生成手段（画像生成部５２）と、画像データ生成手段で生成した画像データを基に画像を投影する投影手段としてのプロジェクタ３８と、上記スキャナ部３１と、原稿押えカバー体１３の回動角度を検出する角度センサ３６と、原稿押え板３５の回動姿勢を検出する姿勢センサ５３と、ハウジング２の上面に対するプロジェクタ３８の高さを検知する高さセンサ５４と、補正部５５と、用紙に画像を記録するための記録部７と、スキャナ部３１で読み込まれた原稿の画像を用紙に複写するコピー部（記録部７が兼用されている）が接続されている。なお、制御装置５０には図示していないが、制御プログラムが記憶されたＲＯＭと、各種データを記憶するＲＡＭと、画像データを記憶したり、画像データと送受信のデータとの変換などを実行するＥＥＰＲＯＭなどを備えている。
【００４０】
高さセンサ５４はリンク手段４６に関連して設けられており、リンク手段４６の屈曲角度を検出するセンサや、プロジェクタ３８の下面または切り込み凹所４７内に設けられた光センサ等、機械的センサや非接触式光センサなどであって良い。
【００４１】
図９は姿勢センサ５３（請求項の押え板回動センサに相当）の一例であり、原稿押えカバー体１３の裏面に対して原稿押え板３５が支持ピン５６を中心にして回動するように連結されている。原稿押えカバー体１３の裏面には、支持ピン５６を中心とする同一半径の円弧軌跡上にて、左右及び上位置に設けられた４つのセンサ部５３ａ、５３ｂ、５３ｃが配置されている。原稿押え板３５の裏面には、当該原稿押え板３５が原稿押えカバー体１３の裏面と平行状に回動するとき、上記４つのセンサ部５３ａ、５３ｂ、５３ｃ、５３ｄのいずれか一つのセンサと接触するなどする被検出部５３ｅを備えている。被検出部５３ｅは、各センサ部５３ａ、５３ｂ、５３ｃ、５３ｄに一時的に係合して位置保持できるノッチ機構を備えることが好ましい。図示実施例では、センサ部５３ｂが被検出部５３ｅを検出すれば、原稿押え板３５の回動無し（基準位置）と判断し、センサ部５３ａが被検出部５３ｅを検出すれば、原稿押え板３５が右向き回動姿勢と判断し、センサ部５３ｃが被検出部５３ｅを検出すれば、原稿押え板３５が左向き回動姿勢と判断し、センサ部５３ｄが被検出部５３ｅを検出すれば、原稿押え板３５が天地逆姿勢と判断するものとする。
【００４２】
補正部５５（請求項の画像表示変換手段に相当）では、写しだされた画像の領域が台形状になったものを矩形状の画像領域に補正したり、画像の向き左右または天地逆となるように画像回転させるなどのための従来から公知のソフトプログラムが収納されている。そして、このソフトプログラムを利用して、補正部５５では、角度センサ３６の検出値、姿勢センサ５３及び高さセンサ５４の検出値に応じて原稿押え板３５に投影される画像の歪みや、画像の向きを修正する。
【００４３】
［画像の歪み・画像の向きの修正態様］
(1).ハウジング２の上面に対する原稿押えカバー体１３の回動角度とプロジェクタ３８の高さ位置に応じて、角度センサ３６及び高さセンサ５４の検出値に対応する画像の歪みを修正する。即ち、原稿押えカバー体１３の裏面と平行な原稿押え板３５の表面（画像投影面）とプロジェクタ３８の投影光の中心線（光軸）とのなす角度が９０度よりずれるに従って、原稿押え板３５の表面に投影された画像が歪むことになるので、角度センサ３６及び高さセンサ５４の検出値を基にして投影する元の画像（画像生成部５２で生成された画像データ）を補正部５４にて補正し、原稿押え板３５の表面に投影された画像に歪みが出ないまたは、画像の歪みが可及的に少なくなるようにするものである。
【００４４】
(2).適正な方向による画像の投影のための修正を補正部５４にて実行する。ファクシミリ装置で送られてくる画像データは、原稿用紙の縦長、横長の配置や天地方向などが統一されず、受信した画像データによる画像をそのまま原稿押え板３５の表面に投影すると、これを見る人にとっては、非常に見辛いことになる。
【００４５】
そこで、受信した横長の原稿用紙のときは、図４（Ｂ）や図９のように、原稿押え板３５の向きを横長状態とした投影画面に設定する。逆に、縦長の原稿用紙のときは、原稿押え板３５の向きを９０度回転させて（図５、図７、図８の二点鎖線参照）、図６、図７及び図８（Ａ）のように、原稿押え板３５の向きを縦長状態とした投影画面に設定するのである。
【００４６】
(3).さらに、図９に示すような姿勢センサ５３を利用すればさらに簡便に適正画像を視認することができる。例えば、ユーザが最初に原稿押え板３５の回動無しの横長の原稿押え板３５の表面に投影された画像を観察したとき、縦長の原稿用紙であると判断すると、原稿押え板３５の向きを左右いずれか一方に９０度回動させて、原稿押え板３５が縦長となるように設定する。これにより、上記姿勢センサ５３の検出値に応じて、縦長の原稿用紙の適正な画像を投影するように補正する。受信した原稿用紙の画像が天地逆姿勢の場合には、回動無し（基準位置）の横長の原稿押え板３５の状態から１８０度回転することで、姿勢センサ５３の検出値に応じた補正を実行して、適正な画像を投影することができる。
【００４７】
上記のプロジェクタ３８による画像投影操作については、操作パネル部１４におけるキー操作部１４ａの操作により液晶表示部１４ｂに操作手順を表示することでユーザが操作の実行が容易になる。
【００４８】
図１０（Ａ）及び図１０（Ｂ）は原稿押え板３５を原稿押えカバー体１３の裏面と平行な状態で回動するための他の実施例を示す。この実施例では、原稿押えカバー体１３の裏面に、ハウジング２の上面に対して垂直の所定長さの縦長のガイド溝５７を凹み形成し、原稿押え板３５の裏面に突設した支持ピン５８をガイド溝５７に摺動可能に嵌め入れる。支持ピン５８の軸線に対して原稿押え板３５は回動可能に装着されれくているものとする。この構成により、原稿押えカバー体１３を開いた状態で、原稿押えカバー体１３と原稿押え板３５との長辺が横方向に平行状になる姿勢（上記の基準位置）（図１０（Ａ）参照）から、原稿押え板３５の長辺を縦方向になるように回動するに際して、まず、支持ピン５８をガイド溝５７の上端側に移動させてから原稿押え板３５を回動させる。そうすれば、原稿押え板３５の矩形状の角部がハウジング２の上面と干渉しないようにすることができる。図１０（Ｂ）の破線による矩形は原稿押え板３５の回動姿勢を示す。なお、支持ピン５８がガイド溝５７に沿って滑り落ちないようにする抵抗部を備えていることが好ましい。
【００４９】
図１１及び図１２はプロジェクタ３８の姿勢変更のための他の実施例を示し、図１１ではプロジェクタ３８がハウジング２の上面にブラケット５９に水平軸周りに回動可能に装着されている構成とする。プロジェクタ３８の上下方向に回動角度を検出するプロジェクタ角度センサ６０の検出値に応じて、原稿押え板３５に投影される画像の歪みを補正部５５にて補正するのである。
【００５０】
図１２の実施例では、ハウジング２の上面に対して昇降可能な伸縮支柱６１の上端の支持台にプロジェクタ３８を上下方向に回動可能に装着する。伸縮支柱６１の高さを検出する高さセンサ６２の検出値に応じて、原稿押え板３５に投影される画像の歪みを補正部５５にて補正するのである。図１１及び図１２において、上述のように、原稿押え板３５を縦長に配置することができることは勿論である。
【００５１】
上記の各センサ３６、５３、５４、６０、６２は機械式、光学式、３次元センサなど各種のものを使用できる。
【００５２】
なお、画像読取装置１２は自動原稿搬送装置（ＡＤＦ：Auto Document Feeder）を備えたものであっても良い。その場合には自動原稿搬送装置が原稿押えカバー体１３の一側部に設けられる。また、多機能装置１は、不図示のコンピュータ（外部情報機器）と主に接続されて、該コンピュータから送信された画像データや文書データを含む印刷データに基づいて、被記録媒体としての用紙に画像や文書を記録するものである。なお、多機能装置１には、デジタルカメラ等の外部機器が接続されて、デジタルカメラ等から出力される画像データを用紙に記録したり、メモリカード等の各種記憶媒体の外部メモリを取り込む（装填す）スロット部を設けて、該記憶媒体に記録された画像データ等を用紙に記録したり、上述のようにプロジェクタ３８により画像を投影することも可能である。
【００５３】
図１及び図２において、ハウジング２の前面右側には、インク貯蔵部１１ａにインクカートリッジ１１を出し入れするための扉２ｂが設けられている。
【００５４】
インク貯蔵部１１ａには、フルカラー記録のための４色のインクを各々収容したほぼ矩形箱状のインクカートリッジ１３（個別の色、即ち、ブラック（ＢＫ）、シアン（Ｃ）、マゼンタ（Ｍ）、イエロー（Ｙ）用インクのカートリッジ）を、Ｙ軸方向に沿って一列状に収容でき、前方から着脱可能となるように構成されている。各インクカートリッジ１１からインクジェット式の記録ヘッド４に複数本（実施形態では４本）のインク供給管１５（インクチューブ）を介してインクを供給するように構成されている。なお、４色よりも多数のインク色を使用する場合（６色〜８色等）には、そのインク色の数に応じたインクカートリッジをインク貯蔵部に収容可能に構成すれば良いし、インク供給管もインクカートリッジの数に合わせて増やせばよい。
【００５５】
［記録部］
記録部７は、図２及び図３に示すように、上面が開放された箱型のメインフレーム（図示せず）とその左右一対の側板にて支持され、Ｙ軸方向（主走査方向）に延びる長尺板状の第１及び第２ガイド部材２２、２３との間に形成される。記録部７における記録ヘッド４が下面側に搭載されたキャリッジ５は、用紙搬送方向（Ｘ軸方向であり、副走査方向（主走査方向と直交する方向））の上流側の第１ガイド部材２２及び下流側の第２ガイド部材２３に跨がって摺動自在に支持（搭載）されて往復移動可能となっている。
【００５６】
キャリッジ５を往復移動させるために、用紙搬送方向（Ｘ軸方向）の下流側に配置された第２ガイド部材２３の上面には、主走査方向（Ｙ軸方向）に延びるように配置されたタイミングベルト２５がプーリに巻回されており、そのタイミングベルト２５を駆動するＣＲ（キャジッジ）モータ２４は第２ガイド部材２３の下面に固定されている。
【００５７】
キャリッジ５におけるインクジェット式の記録ヘッド４の下面と対峙するようにＹ軸方向に延びる扁平状のプラテン２６は、前記両ガイド部材２２、２３の間であって、メインフレームの底板の上方に固定されている。記録ヘッド４には、プラテン２６上の被記録媒体としての用紙に向けノズル（図示せず）を下向きに露出させている。
【００５８】
また、プラテン２６を挟んで搬送上流側には、用紙を記録ヘッド４の下面に送るためのレジストローラ（搬送ローラ）対２７が配置されており、プラテン２６の下流側には記録済みの用紙を、第２給紙カセット３０の上面に設けられた排紙受け部３０ａ上に搬送するための排紙ローラ対２８が配置されている（図３参照）。そして、記録ヘッド４は公知のように主走査方向（Ｙ軸方向）に移動しながら、ノズルから用紙にインクを選択式に吐出する。そのような記録ヘッド４の移動と用紙の移動とを繰り返することにより、用紙上に歯所望の画像が記録されるのである。
【００５９】
図２に示すように、多機能装置１の本体フレーム内で、用紙のＹ軸方向の幅（画像記録領域）よりも外側における一方の側（図２の左側）には、フラッシング部１６が設けられている。さらに、他方の側（図２の右側）にはキャリッジ５のホームポジションに対応すると共に、吐出機能の回復手段としてのメンテナンスユニット１７が設けられている。記録ヘッド４は、フラッシング部１６と対向する位置にて、記録前または記録動作の間に定期的にノズルの目詰まり防止のためのインク吐出（フラッシング）を行う。
【００６０】
メンテナンスユニット１７には、記録ヘッド４が記録指令を待機しているときや、装置の電源が切られているときなどに、ノズル開口面を覆うためのキャップ体１９が備えられている。キャップ体１９には吸引ポンプ（図示せず）が接続されていて、キャップ体１９がノズル開口面を覆った状態で、ノズルから増粘したインク等の不良インクを排出する回復動作（パージ動作）を行うことができる。
【００６１】
［給紙装置］
次に、給紙装置の構成について説明する。実施例では、多数枚の用紙を堆積収容可能な第１収容部３ｂを備え、この第１収容部３ｂ内の用紙を１枚ずつ、給送手段６により記録部７に給送するための第１給紙カセット３が備えられている。また、この第１給紙カセット３の第１収容部３ｂ上には、第１給紙カセット３及び給送手段６に対してＸ軸方向に沿って進退動可能に配置される第２給紙カセット３０が備えられている。第２給紙カセット３０は、第１給紙カセット３における用紙と異なるサイズ（小さいサイズであり、葉書または写真のＬ版等）の複数枚（少なくとも１枚以上）の用紙を第２収容部３０ｂに堆積状態で収容可能である（図３参照）。第２給紙カセット３０には、第２収容部３０ｂの後方（給送方向上流側部位）に、トレイ状の排紙受け部３０ａが一体的に形成されている。第２給紙カセット３０を第１給紙カセット３に対して給送方向と反対側に後退させたとき、その第２給紙カセット３０の用紙の給送方向の上流側端部が第１給紙カセット３の用紙の給送方向の上流側端部とほぼ同じ後位置になるように構成されている（図１参照）。
【００６２】
第１給紙カセット３は、例えばＡ４サイズ、レターサイズ、リーガルサイズ等の大きいサイズにカットされた用紙を多数枚積載（堆積）させて収容できる形態とする。第１給紙カセット３の第１収容部３ｂへの用紙の最大堆積量は、本実施例では普通紙で１００枚程度、堆積高さはほぼ１０ｍｍ程度とする。
【００６３】
実施例では、給送手段６における合成樹脂製のアーム体６ｃは駆動軸２９を中心にして上下方向に回動可能であり、アーム体６ｃは傾斜分離板８に近づくように延び、アーム体６ｃ先端部に給紙ローラ６ａが配置され、駆動軸２９から図示しない歯車伝動機構を介して給紙ローラ６ａを回転駆動する。
【００６４】
また、第１給紙カセット３の先端（給送方向の下流側、図３参照）には、用紙分離用の傾斜分離板８が配置されている。給送手段６における給紙ローラ６ａと、傾斜分離板８の幅方向（Ｙ軸方向）の中央部の内面（表面）側に設けられた分離手段としての弾性分離パッド（図示せず）とにより、第１給紙カセット３または第２給紙カセット３０に堆積された被記録媒体である用紙を一枚ずつ分離搬送する。分離された用紙は上横向きのＵターンパス（給紙搬送路）用の搬送路体９を介して第１給紙カセット３より上側（高い位置）に設けられた記録部７に給送される。そして、記録部７にて記録された用紙がその記録面を上向きにして開口部２ａに向かって排出される。なお、記録部７（プリンタ部）はインクジェット式の他、レーザトナー式やサーマルヘッド式であっても良い。
【符号の説明】
【００６５】
１    多機能装置
２    装置本体としてのハウジング
１２    画像読取装置
１３    原稿押えカバー体
３１    スキャナ部
３３    ガラス板
３４    ヒンジ部
３５    原稿押え板
３６    角度センサ
３７    回動部材
３８    投影手段としてのプロジェクタ
５０    制御装置
５３    押え板回動センサとしての姿勢センサ
５４、６２    高さセンサ
【図１】
2010219657.tif 000003
【図２】
2010219657.tif 000004
【図３】
2010219657.tif 000005
【図４】
2010219657.tif 000006
【図５】
2010219657.tif 000007
【図６】
2010219657.tif 000008
【図７】
2010219657.tif 000009
【図８】
2010219657.tif 000010
【図９】
2010219657.tif 000011
【図１０】
2010219657.tif 000012
【図１１】
2010219657.tif 000013
【図１２】
2010219657.tif 000014
【図１３】
2010219657.tif 000015